(57)【要約】【課題】回路基板の挿入抵抗を小さくして組み付け時の作業性をよくすることのできる電子ユニットを提供する。【解決手段】前面が開口された収納ケース１０と、この収納ケース１０内に収納される回路基板２０とを備え、収納ケース１０の両側壁に設けたガイドレール１３,１６に沿って回路基板２０を開口１１から挿入して装着する電子ユニット１であって、回路基板２０の両側端の前後に側方に突出する突出部２１,２２,２０Ａ,２０Ｂをそれぞれ形成し、突出部２１,２２,２０Ａ,２０Ｂを収納ケース１０の両側壁部１２,１５に当接させて、この収納ケース１０に対する回路基板２０の左右方向の位置決めを行う。【選択図】図２
2008112891.tif 000002
【特許請求の範囲】
【請求項１】
前面が開口された収納ケースと、この収納ケース内に収納される回路基板とを備え、前記収納ケースの両側壁に設けたガイドレールに沿って前記回路基板を前記開口から挿入して装着する電子ユニットであって、
前記回路基板の両側端の前側に側方に突出する側方突出部をそれぞれ形成し、
前記側方突出部を収納ケースの両側壁部に当接させて、この収納ケースに対する回路基板の左右方向の位置決めを行うことを特徴とする電子ユニット。
【請求項２】
前記回路基板の後端に後方へ突出する後方突出部を形成し、
この後方突出部を収納ケースの後壁部に当接させて、この収納ケースに対する回路基板の前後方向の位置決めを行うことを特徴とする請求項１に記載の電子ユニット。
【請求項３】
前記ガイドレールは、前記回路基板を上下から挟み込む一対のレール部材から構成され、
前記回路基板を収納ケースに対して上下方向の位置決めを行うリブを前記レール部材に設けたことを特徴とする請求項１または請求項２に記載の電子ユニット。
【発明の詳細な説明】
【技術分野】
【０００１】
この発明は、収納ケースと、この収納ケース内に収納される回路基板とを備えた電子ユニットに関する。
【背景技術】
【０００２】
従来から、収納ケースに回路基板を収納した電子ユニットが知られている（特許文献１参照）。
【０００３】
電子ユニットは、収納ケースの両側壁に断面がコ字状のガイドレール部を形成し、このガイドレール部の溝に回路基板を挿入して収納ケース内に回路基板を装着するようになっている。
【特許文献１】実用新案登録第２６０２６４３号公報
【発明の開示】
【発明が解決しようとする課題】
【０００４】
ところで、このような電子ユニットにあっては、回路基板の両側端面の全面をガイドレールの溝の底面に当接させることによって、回路基板の左右方向の位置決めを行っている。このため、回路基板の挿入抵抗が大きく、組み付け時の作業性が悪いという問題があった。
【０００５】
この発明の目的は、回路基板の挿入抵抗を小さくして組み付け時の作業性をよくすることのできる電子ユニットを提供することにある。
【課題を解決するための手段】
【０００６】
この発明は、前面が開口された収納ケースと、この収納ケース内に収納される回路基板とを備え、前記収納ケースの両側壁に設けたガイドレールに沿って前記回路基板を前記開口から挿入して装着する電子ユニットであって、
前記回路基板の両側端の前側に側方に突出する側方突出部をそれぞれ形成し、
前記側方突出部を収納ケースの両側壁部に当接させて、この収納ケースに対する回路基板の左右方向の位置決めを行うことを特徴とする。
【発明の効果】
【０００７】
この発明によれば、回路基板の挿入抵抗を小さくすることができ、電子ユニットの組み付け時の作業性をよくすることができる。
【発明を実施するための最良の形態】
【０００８】
以下、この発明に係る電子ユニットの実施の形態である実施例を図面に基づいて説明する。
【実施例】
【０００９】
図１および図２に示す電子ユニット１は、前面が開口された収納ケース１０と、この収納ケース１０内に収納される回路基板２０と、収納ケース１０の開口１１に取り付ける蓋ケース３０とを備えている。
【００１０】
収納ケース１０の側壁部１２の内壁面１２ａには、図３に示すように前後方向に延びるとともに上下に配置された一対のガイドレール１３,１４が設けられている。ガイドレール１３,１４の前端にはガイドレール１３,１４間の隙間に回路基板２０を案内するための傾斜面１３ａ,１４ａが形成されている。また、ガイドレール１３の後部の上面には所定の高さのリブ１３Ｒが形成されている。
【００１１】
同様に、収納ケース１０の側壁部１５の内壁面１５ａには、前後方向に延びるとともに上下に配置された一対のガイドレール１６,１７が設けられている。ガイドレール１６,１７の前端にはガイドレール１６,１７間の隙間に回路基板２０を案内するための傾斜面１６ａ,１７ａが形成されている。また、ガイドレール１６の後部の上面には所定の高さのリブ１６Ｒ（図２参照）が形成されている。
【００１２】
リブ１３Ｒ,１６Ｒの先端部には、図３に示すように回路基板２０をリブ１３Ｒ,１６Ｒ上に乗り上げ易いように傾斜面１３Ｒａ,１６Ｒａが形成されている。
【００１３】
また、収納ケース１０の後壁部１８の内壁面１８ａの中央部には、回路基板２０の前後方向の位置決めを行うリブ１８Ｒが形成されている。また、収納ケース１０の上壁部１０Ａおよび底壁部１０Ｂの前部には係合孔１０Ａａ,１０Ｂａが形成されている。
【００１４】
回路基板２０は、図４に示すように、先端部（図４において下部）の両側には側方に突出した突出部（側方突出部）２１,２２を有している。また、回路基板２０の幅Ｗが後部にいくにしたがって一定幅で形成されている。
【００１５】
回路基板２０の後端には両側と中央部に後方へ突出した突出部２３,２４が形成されている。また、回路基板２０にはコネクタケース２５,２６が取り付けられている。
【００１６】
蓋ケース３０は、図１に示すように、回路基板２０のコネクタケース２５,２６が挿入される穴３１,３２を有し、この穴３１,３２の間の位置と両端部とに回路基板２０の下面に当接する突起３３,３４が設けられている。また、蓋ケース３０の上部と下部とに収納ケース１０の係合孔１０Ａａ,１０Ｂａに係合する係合部材３５,３６が設けられている。
【００１７】
電子ユニット１の組み付けは、先ず、回路基板２０の後部をガイドレール１３,１６とガイドレール１４,１７との間に差し込んで挿入していく。回路基板２０は、後部より前側の部分の幅Ｗが収納ケース１０の内壁面１２ａ,１５ａ間Ｗ１の幅より狭く設定されていることにより、回路基板２０の挿入抵抗が小さく、回路基板２０の挿入がし易いものとなる。
【００１８】
そして、図２に示すように回路基板２０を完全に収納ケース１０内に押し込むと、回路基板２０の後端部の突出部２４が収納ケース１０の後壁部１８のリブ１８Ｒに当接して、回路基板２０が収納ケース１０に対して前後方向に位置決めされる。また、回路基板２０の突出部２１,２２および側端部２０Ａ,２０Ｂが収納ケース１０の側壁部１２,１５の内壁面１２ａ,１５ａに当接することにより、回路基板２０が収納ケース１０に対して左右方向に位置決めされる。
【００１９】
また、回路基板２０の後部はガイドレール１３,１６のリブ１３Ｒ,１６Ｒ上に乗り上げ、このリブ１３Ｒ,１６Ｒにより回路基板２０の後部の上下方向のガタツキが防止される。
【００２０】
回路基板２０の挿入が終了したら、蓋ケース３０の係合部材３５,３６を収納ケース１０の係合孔１０Ａａ,１０Ｂａに係合させて、蓋ケース３０を収納ケース１０の開口１１に装着する。この装着により、蓋ケース３０の突起３３,３４が回路基板２０の先端部の上面に当接し、これにより、回路基板２０の先端部の上下方向のガタツキが防止される。
【００２１】
ところで、回路基板２０の先端部と後部の２箇所で収納ケース１０に対する位置決めを行っているので、回路基板２０と収納ケース１０の嵌合寸法のチューニングはし易いものとなる。すなわち、収納ケース１０を成形する金型の修正が容易なものとなる。
【００２２】
また、回路基板２０の前後方向の位置決めを収納ケース１０の後壁部１８のリブ１８Ｒによって行っているので、回路基板２０の前後方向の位置寸法のチューニングはし易いものとなる。すなわち、収納ケース１０を成形する金型の修正が容易なものとなる。また、回路基板２０の後部の突出部２４を型抜きで成形することにより寸法精度を向上させることができる。
【００２３】
さらに、回路基板２０の収納ケース１０内への収納をスライド構造とし、回路基板２０の先端部に設けた突出部２１,２２をガイドレール１３,１６とガイドレール１４,１７との間に嵌入させることで、密閉性を向上させることができ、防水性および耐静電気性能を向上させることができる。
【図面の簡単な説明】
【００２４】
【図１】この発明に係る電子ユニットの構成を示した分解斜視図である。
【図２】この発明に係る電子ユニットの構成を示した平断面図である。
【図３】収納ケースのガイドレールを示した説明図である。
【図４】図１の電子ユニットの回路基板を示した平面図である。
【符号の説明】
【００２５】
１              電子ユニット
１０            収納ケース
１１            開口
１２,１５       側壁部
１３,１４       ガイドレール
１６,１７       ガイドレール
２０            回路基板
２０Ａ,２０Ｂ   突出部
２１,２２       突出部
【図１】
2008112891.tif 000003
【図２】
2008112891.tif 000004
【図３】
2008112891.tif 000005
【図４】
2008112891.tif 000006